(57)【要約】【課題】救急箱に収納されている医薬品等を活用した利用者に最適な処置方法の情報を提供する。【解決手段】利用者は、ＲＦ−ＩＤタグ付き医薬品等及び利用者情報を記録したＲＦ−ＩＤタグ搭載利用者ＩＤカードが収容されたＲＦ−ＩＤタグ用質問器搭載救急箱に有線等にて携帯端末を接続する。この携帯端末は、ＲＦ−ＩＤタグ用質問器搭載医薬品箱が収納するＲＦ−ＩＤタグ付き医薬品等及びＲＦ−ＩＤタグ搭載利用者ＩＤカードを自動認識後にインターネットを介して、サーバーシステムに自動認識結果を送信する。サーバーシステムは、自動認識結果等により利用者に最適な処置方法を選択後、インターネットを介して、携帯端末に最適な処置方法を送信する。携帯端末は、サーバーシステムより送信された最適な処置方法を表示画面に表示することで、課題の解決をはかるものである。【選択図】        図４
2006259939.tif 000002
【特許請求の範囲】
【請求項１】
ＲＦ−ＩＤタグを装着する医薬品及びＲＦ−ＩＤタグ用応答機能搭載電子体温計及びＲＦ−ＩＤタグ搭載利用者ＩＤカードとを、ＲＦ−ＩＤタグ用質問器による前記ＲＦ−ＩＤタグを装着する医薬品並びにＲＦ−ＩＤタグ用応答機能搭載電子体温計を利用する利用者情報及び体温測定結果情報並びにＲＦ−ＩＤタグ搭載利用者ＩＤカードの利用者情報を読み取り手段と、通信端末に接続する手段と、前記医薬品及びＲＦ−ＩＤタグ用応答機能搭載電子体温計及びＲＦ−ＩＤタグ搭載利用者ＩＤカードを保管する保管手段とを備えた救急箱であって、前記通信端末に接続する手段に通信端末を接続し、通信端末がネットワークを介してセンターサーバーシステムに接続することを特徴とする医薬品管理システム。
【請求項２】
請求項１に記載のＲＦ−ＩＤタグ用応答機能搭載電子体温計は、指紋センサーを搭載し、予め登録された利用者の指紋情報と前記指紋センサーよりの指紋情報とを照合し、前記前記指紋センサーよりの指紋情報が予め登録された指紋情報であることを認識後、利用者の体温測定後にＲＦ−ＩＤタグ用質問器による読み取り手段と通信端末に接続する手段を具備する救急箱に入れ、前記救急箱の通信端末を接続する手段に通信端末を接続し、前記ＲＦ−ＩＤタグ用応答器機能搭載電子体温計に記録されている利用者情報及び体温測定結果情報を前記通信端末がネットワークを介してセンターサーバーシステムに送信することを特徴とする医薬品管理システム。
【請求項３】
請求項１に記載の通信端末は、ＲＦ−ＩＤタグ用質問器によるＲＦ−ＩＤタグを装着する医薬品並びにＲＦ−ＩＤタグ用応答機能搭載電子体温計に記録されている利用者情報及び体温測定結果並びにＲＦ−ＩＤタグ搭載利用者ＩＤカードの利用者情報を読み取る手段を具備した救急箱よりの情報を、センターサーバーシステムに送信し、前記センターサーバーシステムでは、予め登録された利用者データ部と前記救急箱の読み取り手段からの前記
ＲＦ−ＩＤタグ用応答機能搭載電子体温計に記録されている利用者情報及ぶＲＦ−ＩＤタグ搭載利用者ＩＤカードの利用者情報とを比較照合し、予め登録された利用者であると認識できるときは当該医薬品及び前記ＲＦ−ＩＤタグ用応答機能搭載電子体温計による体温測定結果情報にもとづき最適な提供情報を選択し、選択された情報をネットワークを介して、前記通信端末に送信することを特徴とする医薬品管理システム。
【請求項４】
請求項１に記載のセンターサーバーシステムには利用者ごとの医薬品履歴データ部を備えており、前記センターサーバーシステムとネットワークを介して接続された薬局に設置される通信端末にＲＦ−ＩＤタグを装着する医薬品及びＲＦ−ＩＤタグ搭載ＩＤカードの利用者情報を読み取り手段であるＲＦ−ＩＤタグ用質問器を接続し、当該医薬品及び前記ＲＦ−ＩＤタグ搭載ＩＤカードの利用者情報をセンターサーバーシステムに送信する機能を有する薬局システム側から、前記前記ＲＦ−ＩＤタグ搭載ＩＤカードの利用者情報をセンターサーバーシステムに送信し、センターサーバーシステムでは、予め登録された利用者データ部の利用者情報と比較照合し、予め登録された利用者であると認識できるときは、前記医薬品履歴データ部に当該医薬品を自動記録することを特徴とする医薬品管理システム。
【請求項５】
請求項４に記載の薬局システムは、ＲＦ−ＩＤタグを装着する医薬品及びＲＦ−ＩＤタグ搭載利用者ＩＤカードの利用者情報を取得するＲＦ−ＩＤタグ用質問器と、通信端末とを備え、前記医薬品及ぶ前記ＲＦ−ＩＤタグ搭載利用者ＩＤカードの利用者情報をセンターサーバーシステムに送信し、センターサーバーシステムでは、予め登録された利用者データ部の利用者情報と比較照合し、予め登録された利用者であると認識できるときは、当該医薬品及びＲＦ−ＩＤタグ搭載利用者ＩＤカードからの利用者情報にもとづき利用者の医薬品の購入時の最適な提供情報を選択し、選択された情報をネットワークを介して薬局システムに送信することを特徴とする医薬品管理システム。
【請求項６】
請求項３又は請求項４又は請求項５の記載の最適な提供情報は、利用者への最適な助言又は最適処置方法であることを特徴とする医薬品管理システム。
【発明の詳細な説明】
【技術分野】
【０００１】
本発明は、物流分野等で普及が見込まれているＲＦ−ＩＤ（無線周波数識別：Ｒａｄｉｏ
Ｆｒｅｑｕｅｎｃｙ  Ｉｄｅｎｔｉｆｉｃａｔｉｏｎ）技術を利用したＲＦ−ＩＤタグシステムに関するものである。
特に、本発明は、ＲＦ−ＩＤタグ用質問器搭載救急箱とＲＦ−ＩＤタグ付き医薬品等を用いたネットワーク対応型の医薬品管理システムに関するものである。
【背景技術】
【０００２】
ＲＦ−ＩＤタグシステムを利用した収容物を自動認識する発明は、特許文献１で開示している。
特許文献１で開示されている発明は、自動冷蔵システムであって、食品のパッケージ等に付された非接触式ＩＣタグのＩＣメモリに記録された食品の内容物、保存条件に関する情報を非接触ＩＣタグリーダ付き冷蔵庫が読み取ることにより、食品を最適の条件で冷蔵することを特徴するものである。
また、特許文献１では、非接触ＩＣタグのＩＣメモリに記録された食品の内容物、消費期限、賞味期限に関する情報を非接触ＩＣタグリーダ付き冷蔵庫が読み取ることにより、消費期限や賞味期限が間近になった場合に警告を発することを特徴とするものである。
また、特許文献１では、非接触式ＩＣタグ用リーダ付き冷蔵庫は、表示部と食品情報に関するデータベースを有し、利用者に予め記録してある調理方法等の情報を提供することを特徴とするものである。
なお、特許文献１では、家庭等で利用される大型冷凍冷蔵庫を前提としてしており、冷蔵庫それ自体の可搬性は考慮していないものである。
【０００３】
【特許文献１】特開２００１−３１７８６２
【０００４】
しかしながら、アウトドアでも利用される救急箱には可搬性が要求され、アウトドアでの利用の場合まで考慮すると、救急箱でも紛失の危険性が生じることになる。
このため、アウトドアでも利用される可搬性のある救急箱は、特許文献１の非接触ＩＣタグリーダ付き冷蔵庫と同じく救急箱自体にデータベースを保有する構成にすると、紛失時に個人情報の安全性の問題が生じる。
さらに、利用者の立場では、一般的には負荷を負うことなくデータベースが最新情報に更新されることが望ましい。
しかし、特許文献１の非接触タグリーダ付き冷蔵庫では調理方法等に関しては、予め記録している情報のみを活用して、表示装置に助言情報を表示しているのみである。さらに、特許文献１では、調理方法等の情報の更新は考慮ていないものである。即ち、特許文献１の非接触タグリーダ付き冷蔵庫では、利用者のみが予め記録しているデータベースを活用するものである。
これに対して、医薬品の分野では、医師の処方箋による医薬品又は市販医薬品購入時等に薬局の店頭にて薬剤師等は、二重投薬を回避する目的等で、常に更新されている利用者の医薬品履歴等のデータベースの活用を欲する場合がある。
【発明の開示】
【発明が解決しようとする課題】
【０００５】
このため、アウトドアでの利用される可搬性のある救急箱では、特許文献１の発明のように救急箱自体にデータベースを持つ構成としたのでは安全性が保てないという課題がある。
そこで、本発明は、個人情報の安全性に配慮した可搬性がある救急箱で、ＲＦ−ＩＤタグシステム利用して収容物である医薬品及びＲＦ−ＩＤタグ用応答機能搭載電子体温計を自動認識し、この自動認識結果と利用者の負担なく更新された医薬品履歴情報をもとに、利用者に最適な処置方法等の助言情報を利用者が求める場合にいつでもどこでも提供可能とし、かつ、薬局の薬剤師等は、医師よりの処方箋による医薬品及び市販医薬品購入時等に利用者の負担なく更新された医薬品履歴情報の活用が可能な医薬品管理システムの提供を目的とする。
【課題を解決するための手段】
【０００６】
本発明の医薬品管理システムは、以下の態様により上記課題を解決するものである。
本発明の第１の態様は、ＲＦ−ＩＤタグ（１）を装着する医薬品（２）及びＲＦ−ＩＤタグ用応答機能搭載電子体温計（３）及びＲＦ−ＩＤタグ搭載利用者ＩＤカード（５）とを、ＲＦ−ＩＤタグ用質問器（９）による前記ＲＦ−ＩＤタグ（１）を装着する医薬品並びにＲＦ−ＩＤタグ用応答機能搭載電子体温計（３）を利用する利用者情報及び体温測定結果情報並びにＲＦ−ＩＤタグ搭載利用者ＩＤカード（５）の利用者情報を読み取り手段と、通信端末に接続する手段と、前記医薬品（２）及びＲＦ−ＩＤタグ用応答機能搭載電子体温計（３）及びＲＦ−ＩＤタグ搭載利用者ＩＤカード（５）を保管する保管手段とを備えた救急箱（８）であって、前記通信端末に接続する手段に通信端末（１７）を接続し、通信端末（１７）がネットワーク（２０）を介してセンターサーバーシステム（２１）に接続することを特徴とする医薬品管理システムである。
【０００７】
本発明の第２の態様は、第１の態様に記載のＲＦ−ＩＤタグ用応答機能搭載電子体温計（３）は、指紋センサー（３ｈ）を搭載し、予め登録された利用者の指紋情報と前記指紋センサー（３ｈ）よりの指紋情報とを照合し、前記前記指紋センサー（３ｈ）よりの指紋情報が予め登録された指紋情報であることを認識後、利用者の体温測定後にＲＦ−ＩＤタグ用質問器（９）による読み取り手段と通信端末に接続する手段を具備する救急箱（８）に入れ、前記救急箱（８）の通信端末を接続する手段に通信端末（１７）を接続し、前記ＲＦ−ＩＤタグ用応答器機能搭載電子体温計（３）に記録されている利用者情報及び体温測定結果情報を前記通信端末（１７）がネットワーク（２０）を介してセンターサーバーシステム（２１）に送信することを特徴とする医薬品管理システム。
【０００８】
本発明の第３の態様は、第１の態様に記載の通信端末（１７）は、ＲＦ−ＩＤタグ用質問器（９）によるＲＦ−ＩＤタグ（１）を装着する医薬品（２）並びにＲＦ−ＩＤタグ用応答機能搭載電子体温計（３）に記録されている利用者情報及び体温測定結果並びにＲＦ−ＩＤタグ搭載利用者ＩＤカード（５）の利用者情報を読み取る手段を具備した救急箱（８）よりの情報を、センターサーバーシステム（２１）に送信し、前記センターサーバーシステム（２１）では、予め登録された利用者データ部（２５）と前記救急箱（８）の読み取り手段からの前記ＲＦ−ＩＤタグ用応答機能搭載電子体温計（３）に記録されている利用者情報及ぶＲＦ−ＩＤタグ搭載利用者ＩＤカード（５）の利用者情報とを比較照合し、予め登録された利用者であると認識できるときは当該医薬品（２）及び前記ＲＦ−ＩＤタグ用応答機能搭載電子体温計（３）による体温測定結果情報にもとづき最適な提供情報を選択し、選択された情報をネットワーク（２０）を介して、前記通信端末（１７）に送信することを特徴とする医薬品管理システムである。
【０００９】
本発明の第４の態様は、第１の態様に記載のセンターサーバーシステム（２１）には利用者ごとの医薬品履歴データ部（２３）を備えており、前記センターサーバーシステム（２１）とネットワーク（２０）を介して接続された薬局に設置される通信端末（１７）にＲＦ−ＩＤタグ（１）を装着する医薬品（２）及びＲＦ−ＩＤタグ搭載ＩＤカード（５）の利用者情報を読み取り手段であるＲＦ−ＩＤタグ用質問器（９）を接続し、当該医薬品（２）及び前記ＲＦ−ＩＤタグ搭載ＩＤカード（５）の利用者情報をセンターサーバーシステム（２１）に送信する機能を有する薬局システム側から、前記前記ＲＦ−ＩＤタグ搭載ＩＤカード（５）の利用者情報をセンターサーバーシステム（２１）に送信し、センターサーバーシステム（２１）では、予め登録された利用者データ部（２５）の利用者情報と比較照合し、予め登録された利用者であると認識できるときは、前記医薬品履歴データ部（２３）に当該医薬品（１）を自動記録することを特徴とする医薬品管理システムである。
【００１０】
本発明の第５の態様は、第４の態様に記載の薬局システムは、ＲＦ−ＩＤタグ（１）を装着する医薬品（２）及びＲＦ−ＩＤタグ搭載利用者ＩＤカード（５）の利用者情報を取得するＲＦ−ＩＤタグ用質問器（９）と、通信端末（１７）とを備え、前記医薬品（２）及ぶ前記ＲＦ−ＩＤタグ搭載利用者ＩＤカード（５）の利用者情報をセンターサーバーシステム（２１）に送信し、センターサーバーシステム（２１）では、予め登録された利用者データ部（２５）の利用者情報と比較照合し、予め登録された利用者であると認識できるときは、当該医薬品（２）及びＲＦ−ＩＤタグ搭載利用者ＩＤカード（５）からの利用者情報にもとづき利用者の医薬品（２）の購入時の最適な提供情報を選択し、選択された情報をネットワーク（２０）を介して薬局システムに送信することを特徴とする医薬品管理システムである。
【００１１】
本発明の第６の態様は、第３の態様又は第４の態様又は第５の態様に記載の最適な提供情報は、利用者への最適な助言又は最適処置方法であることを特徴とする医薬品管理システムである。
【発明の効果】
【００１２】
本発明の医薬品管理システムでは、ＲＦ−ＩＤタグ利用自動認識システムであるため、利用者及び薬剤師等の操作上の負担が少なく、コンピュータシステムに不慣れな方でもすぐに利用できる。
また、本発明の医薬品管理システムでは、利用者のセンターサーバーシステムよりの助言情報の入手は、医療機関の診察外の時間及び休診日でも、かつ、どこでも可能なため、アウトドア等での必要時に有効活用可能である。
また、本発明の医薬品管理システムでは、可搬性のある救急箱を利用しているが、センターサーバーシステムに個人情報が格納されているために安全性も確保できる。
さらに、本発明の医薬品管理システムは、薬剤師等もセンターサーバーシステムの医薬品履歴等の確認が容易であり、薬局店頭での利用者への最適な助言に活用が可能となる。例えば、眼科より、ものもらいで抗生物質の化膿止めが処方されている利用者が、内科から扁桃腺炎にて抗生物質の消炎剤が処方された場合に薬剤師は、内科の医師に連絡をして、二重投薬を回避することが可能となる。このため、利用者のみならず、薬局の双方に有効な医薬分業を補完する医薬品管理システムでもある。
【発明を実施するための最良の形態】
【００１３】
以下、本発明の医薬品管理システムについて、図面を参照して説明する。図１はＲＦ−ＩＤタグを医薬品に装着した外観図、図２はＲＦ−ＩＤタグをＲＦ−ＩＤタグ用応答機能搭載電子体温計に装着した外観図、図３はＲＦ−ＩＤタグ搭載利用者ＩＤカードの外観図、図４はＲＦ−ＩＤタグ用質問器搭載救急箱の構成図、図５は医薬品管理システムの全体を説明する構成図である。
なお、ＲＦ−ＩＤタグ１とは、ＲＦ−ＩＤタグシステムの応答器であり、ＩＳＯ／ＩＥＣ１５６９３等にて規格化されているものを採用する。
ＲＦ−ＩＤタグ１の構成について、以下に概説する。
ＲＦ−ＩＤタグ１は、アンテナパターン（図示せず。）とＲＦ−ＩＤタグ用チップ（図示せず。）とからなるものである。アンテナパターンとＲＦ−ＩＤタグ用ＩＣチップの接続部は、ポリエステルフィルム上にシルク印刷にて導電性インキを印刷後に乾燥させて形成する。この状態は、アンテナシートと称している。このアンテナシートのＲＦ−ＩＤタグ用ＩＣチップの接続部には、メモリ素子として電気的に書き換え可能なＥＥＰＲＯＭを搭載したＲＦ−ＩＤタグ用ＩＣチップを実装する。具体的には、ＲＦ−ＩＤタグ用ＩＣチップの接続パットにハンダバンプを形成し、回路面を下にして、ＡＣＦによるフィリップチップ実装法によりアンテナシートのＲＦ−ＩＤタグ用ＩＣチップの接続部に実装する。アンテナシートにＲＦ−ＩＤチップを実装したものをインレイ４等と称している。このインレイ４の両側をポリエステルフィルム等で被覆したものが、ＲＦ−ＩＤタグ１である。
【００１４】
図２には、ＲＦ−ＩＤタグ用応答機能搭載電子体温計３の構成を示す。電子体温計にＲＦ−ＩＤタグ用応答機能を搭載し、利用者認証用の指紋センサーを搭載したものである。
回路構成では、ＲＦ−ＩＤタグ応答機能搭載電子体温計３に内蔵するＲＦ−ＩＤタグ用アンテナ３ａはＲＦ−ＩＤタグ用アンテナ通信制御回路部３ｂに接続し、内部バス線３ｃを介して制御回路部３ｅに接続している。さらに、制御回路部３ｄには電源回路部及び着脱可能な充電地３ｅが接続している。また、内部バス線３ｃは、液晶表示部３ｆを接続した液晶表示制御回路３ｇ、半導体指紋センサー３ｈを接続した半導体指紋センサー制御回路３ｉ、及び体温センサーｋが接続した体温センサー制御回路３ｊがそれぞれ接続している。
【００１５】
図３のＲＦ−ＩＤタグ搭載利用者ＩＤカード５とは、インレイ４をカード基材に実装したプラスチックカードの一例である。具体的には、インレイ４の両側に接着シートと乳白ＰＥＴ−Ｇフィルム等の順に積層し、平プレスにて加熱加圧することで、一体化後にプラスチックカードサイズ（ＩＳＯ／ＩＥＣ  ７８１６  ＩＤ−１型）に仕上げ抜きしたＩＤカードである。
なお、ＲＦ−ＩＤタグ搭載利用者ＩＤカード５の表面の片側には、利用者の氏名等を記入するサインパネル６を形成する。さらに、例えば、ＲＦ−ＩＤタグ搭載利用者ＩＤカード５の初期発行時には、シリアル番号などＥＥＰＲＯＭに入力し、このシリアル番号をＲＦ−ＩＤタグ搭載利用者ＩＤカード５の表面に目視可能な刻印番号７として刻印する。
これは、後述するエンボッサー等の特別なＩＤカード発行機器を必要とせずに薬局の店頭でのＲＦ−ＩＤタグ搭載利用者ＩＤカード５の即時発行を可能とするものである。
【００１６】
図４には、ＲＦ−ＩＤタグ用質問器搭載救急箱８の構成を示す。救急箱にＲＦ−ＩＤタグ用質問器９を搭載したものである。ＲＦ−ＩＤタグ用質問器９とは、ＲＦ−ＩＤタグ用アンテナ１０とＲＦ−ＩＤタグ用アンテナ通信制御回路部１１及び電源回路部１２及び外部接続回路部１３等の回路部９ａを有し、電源回路部１２には着脱可能な充電地１４が接続され、外部接続回路１３には外部接続コネクター１５が接続されるものである。さらに、この外部接続コネクター１５は、両端に接続コネクターを有する接続ケーブル１６を接続し、通信端末１７の接続端子部１８と接続するためのものである。
また、このＲＦ−ＩＤタグ用アンテナ１０の通信範囲は、ＲＦ−ＩＤタグ用質問器搭載救急箱８に収容されているすべてのＲＦ−ＩＤタグ付き医薬品１及びＲＦ−ＩＤタグ用応答機能搭載電子体温計２を自動認識しなければならないため、ＲＦ−ＩＤタグ用質問器搭載救急箱８内側全体に及ぶものである。
さらに、ＲＦ−ＩＤタグ用質問器搭載救急箱８が、金属製品等の上に置かれたとき又は金属製品の近くに置かれたときは、ＩＳＯ／ＩＥＣ１５６９３等のＲＦ−ＩＤタグシステムではデータ交信等が電磁誘導方式を採用しているために金属の影響を受けて、ＲＦ−ＩＤタグ付き医薬品１及びＲＦ−ＩＤタグ用応答機能搭載電子体温計２が自動認識できなる不都合が生じる。
このため、ＲＦ−ＩＤタグ用質問器搭載救急箱８の内側には、金属製品の影響を排除可能なフェライト材料１９等を貼り、その上のＲＦ−ＩＤタグ用アンテナ１０を形成した。
さらに、ＲＦ−ＩＤタグ用質問器搭載救急箱８には多種類、多数のＲＦ−ＩＤタグ付き医薬品１及びＲＦ−ＩＤタグ用応答機能搭載電子体温計２が収容される。自動認識時には、多数のＲＦ−ＩＤタグ付き医薬品１及びＲＦ−ＩＤタグ用応答機能搭載電子体温計２から一斉に応答されるので、応答データのコリジョン（衝突）が生じる。このため、すべてのＲＦ−ＩＤタグ１のメモリ素子に異なる識別ＩＤを事前に記録しておき、この識別ＩＤ別にＲＦ−ＩＤ質問器９が順次交信することで、自動認識を可能とした。
【００１７】
図５に本発明の全体システム構成を示す。通信端末１７とは、ＲＦ−ＩＤタグ用質問器搭載救急箱８の外部接続コネクター１５と両端に接続コネクターを有する接続ケーブル１６を介して接続するための外部接続コネクター１８を有し、液晶画面等の表示装置とタッチパネル等の入力装置と無線にてネットワーク２０に接続するための無線通信機能を備えた機器である。具体的には、ノートパソコン、携帯電話、ＰＤＡ（Ｐｅｒｓｏｎａｌ  Ｄｉｇｉｔａｌ  Ａｓｓｉｓｔａｎｃｅ）等である。
【００１８】
薬局が運営するサーバーシステム２１とは、ネットワーク２０を介して、通信端末１７には無線にて、薬局システム２２には有線若しくは無線にて接続されるサーバーシステムである。
このサーバーシステム２１上では、医師の処方箋による医薬品又は購入した市販医薬品の医薬品履歴データ部２３とＲＦ−ＩＤタグ用応答機能搭載電子体温計よりの体温を加味し、利用者に適切に処置方法を提供するために数々の処置方法を収容する処置データ部２４と利用者の氏名、暗証番号等のＩＤ情報を収容する利用者データ部２５が形成されている。
【００１９】
薬局システム２２とは、ＲＦ−ＩＤタグ用質問器９が接続するための外部接続装置インターフェース、液晶表示等の表示装置、キーボート等の入力装置、薬局が運営するサーバーシステム２１にネットワーク２０を介して有線若しくは無線にて接続するための通信制御機能等を備える機器である。具体的には、ノートパソコン、ＰＯＳ（Ｐｏｉｎｔ  Ｏｆ  Ｓａｉｅｓ）レジシステム等である。
【００２０】
本発明の医薬品管理システムの利用方法について、以下に説明する。
＜利用者登録＞
１．消費者が、薬局にて、ＲＦ−ＩＤタグ用質問器搭載救急箱８を購入する。
２．薬局の薬剤師等は、ＲＦ−ＩＤタグ用質問器搭載救急箱８を購入した消費者、即ち、    利用者に例えば店頭にて利用者登録用紙を手渡し、氏名、住所、メールアドレス、暗    証番号、アレルギー情報等の必要事項の記入を依頼する。
３．薬局の薬剤師等は、利用者より、利用者が必要事項を記入済みの利用者登録用紙を回    収する。
４．薬局の薬剤師等は、薬局の薬局システム２２を操作し、利用者登録モードに設定し、    ネットワーク２０を介して、薬局が運営しているサーバーシステム２１にアクセスす    る。薬局システム２２より、薬局の薬剤師等は、利用者登録用紙の記載事項を入力し    、薬局が運営しているサーバーシステム２１上の利用者データ部２５に利用者データ    として登録する。なお、薬局の薬剤師等は、ＲＦ−ＩＤタグ搭載利用者ＩＤカード５    の表面に目視可能な刻印番号７も薬局システム２２より合わせて入力する。これは、    利用者に手渡したＲＦ−ＩＤタグ搭載利用者ＩＤカード５と利用者データとの整合性    をはかるためのものである。
５．薬局の薬剤師等は、薬局システム２２は、ネットワーク２０を介して、薬局が運営し    ているサーバーシステム２１上の利用者データ部に登録された利用者デーダより、薬    局が運営しているサーバーシステム２１上で生成された利用者ＩＤコード等のＲＦ−    ＩＤタグ搭載利用者ＩＤカード５のメモリ素子に登録する発行データを入手する。
６．薬局の薬剤師等は、薬局システム２２に接続されたＲＦ−ＩＤタグ用質問器９にＲＦ    −ＩＤタグ搭載利用者ＩＤカード５をかかげて、発行データをメモリ素子に登録する    。
７．薬局の薬剤師等は、ＲＦ−ＩＤタグ用質問器搭載救急箱８の利用者に発行処理済みＲ    Ｆ−ＩＤタグ搭載利用者ＩＤカード５を手渡すことで、薬局での店頭でのＲＦ−ＩＤ    タグ搭載利用者カード５の発行処理が終了する。
８．利用者は、薬局の薬剤師等より、ＲＦ−ＩＤタグ搭載利用者カード５を手渡された後    、サインパネル６に筆記用具を用いて氏名を記入する。
【００２１】
＜医薬品、ＲＦ−ＩＤタグ用応答機能搭載電子体温計等の購入時の登録＞
１．利用者は、薬局にて、ＲＦ−ＩＤタグ付き医薬品２及びＲＦ−ＩＤタグ用応答機能搭    載電子体温計３を選び、ＲＦ−ＩＤタグ搭載利用者ＩＤカード５ともに薬剤師等に手    渡す。なお、ＲＦ−ＩＤタグ付き医薬品１及びＲＦ−ＩＤタグ用応答機能搭載電子体    温計２のＲＦ−ＩＤタグのメモリ素子には、医薬品２及びＲＦ−ＩＤタグ用応答機能    搭載電子体温計３の製造者等で商品固有の識別コード及び製造年月日、有効期限等が    事前に登録されている。
２．薬剤師等は、薬局システム２２に接続されたＲＦ−ＩＤタグ用質問器９に、まず、利    用者のＲＦ−ＩＤタグ搭載利用者ＩＤカード５をかかげ、利用者ＩＤ番号等を認識さ    せた後にＲＦ−ＩＤタグ付き医薬品１及びＲＦ−ＩＤタグ用応答機能搭載電子体温計    ２をかかげ、識別コード等を認識させた後にネットワーク２０を介して、薬局が運営    しているサーバーシステム２１上の医薬品履歴データ部２３に利用者の医薬品履歴を    自動記録する。
３．薬剤師等は、ＲＦ−ＩＤタグ用応答機能搭載電子体温計３の指紋センサー部に利用者    の指を触れさせ、この指紋データをＲＦ−ＩＤタグ用応答機能搭載電子体温計３の制    御回路部３ｄに接続されたメモリに指紋データを暗号化して登録する。さらに、薬局    システム２２に接続されたＲＦ−ＩＤタグ用質問器９に、利用者の指紋が登録された    ＲＦ−ＩＤタグ用応答機能搭載電子体温計２をかかげ、薬局が運営しているサーバー    システム２１上の利用者データ部２５に利用者の指紋が登録したことを自動記録する    。
【００２２】
＜医薬品等の購入時等の薬局店頭での薬剤師等よりの助言＞
１．薬局の薬剤師等は、本願発明を利用して、利用者の医師の処方箋による医薬品の二重    投薬の確認が容易である。即ち、利用者が、薬局訪問時にＲＦ−ＩＤタグ搭載利用者    ＩＤカード５を薬剤師等に手渡す。薬剤師等は、薬局システム２２を顧客情報モード    に設定し、薬局システム２２に接続されたＲＦ−ＩＤタグ用質問器９にＲＦ−ＩＤタ    グ搭載利用者ＩＤカード５をかかげて、薬局が運営するサーバーシステム２１上の利    用者データ部２５とネットワーク２０を介して認証後、薬局が運営するサーバーシス    テム２１上の医薬品履歴データ部２２や利用者データ部２５にネットワーク２０を介    してアクセスし、その結果である顧客情報がネットワーク２０を介して薬局システム    の表示装置に表示される。薬剤師等は、この顧客情報をもとに医師よりの処方箋によ    る医薬品では、二重投薬になる場合には、処方した医師に連絡をとり、適切な指示を    仰ぐことも可能になる。
２．薬局の薬剤師等は、本願発明を利用して、市販医薬品購入時等の適切な助言も可能で    ある。即ち、利用者が、薬局訪問時にＲＦ−ＩＤタグ搭載利用者ＩＤカード５を薬剤    師等に手渡す。薬剤師等は、薬局システム２２を顧客情報モードに設定し、薬局シス    テム２２に接続されたＲＦ−ＩＤタグ用質問器９にＲＦ−ＩＤタグ搭載利用者ＩＤカ    ード５をかかげて、薬局が運営するサーバーシステム２１上の利用者データ部２５と    ネットワーク２０を介して認証後、薬局が運営するサーバーシステム２１上の医薬品    履歴データ部２２や利用者データ部２５にネットワーク２０を介してアクセスし、そ    の結果である顧客情報がネットワーク２０を介して薬局システムの表示装置に表示さ    れる。この顧客情報をもとに薬局での薬剤師等は、利用者が市販医薬品を購入の際で    は、利用者に最適な市販医薬品の紹介が可能となり、薬局にとっての顧客固定化の一    助となる。
３．薬局の薬剤師等は、利用者が市販医薬品の購入時の適切な助言以外にも、利用者の保    有している医薬品等が医薬品履歴データ部２３より把握されるため、利用者の保有し    ている医薬品等を利用した適切な処置方法の助言も、処置データ部２４も参照するこ    とが可能となり、顧客の固定化の一助となる。
【００２３】
＜利用者の救急箱の利用＞
１．利用者は、ＲＦ−ＩＤ付き医薬品２及びＲＦ−ＩＤタグ用応答機能搭載電子体温計３    及びＲＦ−ＩＤタグ搭載利用者ＩＤカード５を収容しているＲＦ−ＩＤタグ用質問器    搭載救急箱８の外部接続コネクター１５に両端に接続コネクターを有するケーブル１    ６で接続し、さらに、両端に接続コネクターを有するケーブル１６の他の端に通信端    末１７の接続コネクター部１８を接続する。これにより、通信端末１７は、ＲＦ−Ｉ    Ｄタグ用質問器搭載救急箱８に収容されているＲＦ−ＩＤタグ付き医薬品１及びＲＦ    −ＩＤタグ用応答機能搭載電子体温計２、ＲＦ−ＩＤタグ搭載利用者ＩＤカードを自    動認識することが可能になる。
２．利用者は、通信端末１７を操作し、ネットワーク２０を介して、薬局の運営するサー    バーシステム２１にアクセスする。
３．利用者は、通信端末１７より、暗証番号を入力する。この暗証番号とＲＦ−ＩＤタグ    搭載利用者ＩＤカード５より自動認識した利用者ＩＤ番号は、通信端末１７にて暗号    化され、ネットワーク２０を介して、薬局の運営するサーバーシステム２１上にに送    られる。薬局の運営するサーバーシステム２１上では、通信端末１７より送られた暗    号化された暗証番号と利用者ＩＤ番号を復号化し、事前に登録されている利用者デー    タ部２５の利用者ＩＤ番号と暗証番号と照合することで、本人認証を実施する。
４．薬局の運営するサーバーシステム２１は、利用者が本人であると認証された場合のみ    以後の処理を実施する。
５．通信端末等を利用したＲＦ−ＩＤタグ用質問器搭載救急箱８に収容されたＲＦ−ＩＤ    タグ付き医薬品１及びＲＦ−ＩＤタグ用応答機能搭載電子体温計２の自動認識結果が    、ネットワークを介して、薬局の運営するサーバーシステム２１に送られ、薬局の運    営するサーバーシステム２１上の医薬品履歴データ部と照合される。この照合結果の    一覧が、通信端末１７の表示装置に表示される。なお、通信端末１７の表示装置の画    面に表示された照合の結果の一覧表には、医薬品の有効期限等の情報を合わせて表示    する。自動認識結果で有効期限が間近に迫った医薬品がＲＦ−ＩＤタグ用質問器搭載    救急箱８の中にある場合には、通信端末１７の表示装置の画面に表示して利用者に注    意を促すためのである。
６．利用者は、処置方法の助言を得たい場合には、通信端末１７を操作し、薬局の運営す    るサーバーシステム２１上の処置データ部２４にアクセスする。薬局の運営するサー    バーシステム２１上では、ＲＦ−ＩＤタグ用質問器搭載救急箱８に収容されているＲ    Ｆ−ＩＤ付き医薬品１及びＲＦ−ＩＤタグ用応答機能搭載電子体温計２及びＲＦ−Ｉ    Ｄタグ搭載利用者ＩＤカードが自動認識された結果と、さらに、利用者のアレルギー    情報なども利用者データ部２５に記録されていいるため、これを考慮して利用者に適    切な処置方法を選別し、ネットワーク２０を介して、通信端末１７の表示装置の画面    に表示することで、利用者への処置方法の助言をいつでもどこでも可能にするもので    ある。
７．サーバーシステム２１は、必要に応じて、利用者にＲＦ−ＩＤタグ用応答機能搭載電    子体温計２にて、利用者の体温を測定するように要請する。利用者は、ＲＦ−ＩＤタ    グ用応答機能搭載電子体温計２の半導体指紋センサー３ｈに利用者の指を触れて指紋    照合し、利用者本人であること認識した上で、体温測定後にＲＦ−ＩＤタグ用質問器    搭載救急箱８に入れれば、体温測定結果がサーバーシステム２１に自動送信される。    サーバーシステム２１は、体温測定結果をもとにした助言をすることが可能になる。    
【００２４】
＜変形実施例＞
上記実施例では、本発明の基本構成での実施形態で説明してきたが、本発明はこれに拘泥されることなく、数々の実施形態が可能であることを付記し、以下にその一例を示す。
ＲＦ−ＩＤタグ用質問器搭載救急箱８と通信端末１７は、両端に接続コネクターを有するケーブル１６で接続して使用することで説明したが、ＲＦ−ＩＤタグ用質問器搭載救急箱８と通信端末１７の間のデータ伝送は、赤外線方式や電磁誘導方式等の非接触近接通信方式を用いて実施しても良い。
さらに、ＲＦ−ＩＤタグ用質問器搭載救急箱８は、通信端末１７は分離している状態で説明したが、ＲＦ−ＩＤタグ用質問器搭載救急箱８と通信端末１７が一体型化されている構成でもあっても良い。
【００２５】
ＲＦ−ＩＤタグ用応答機能搭載電子体温計のみならず、ＲＦ−ＩＤタグ用応答機能を電子血圧計等に搭載して血圧データをもとにした助言も可能である。
さらに、ＲＦ−ＩＤタグ用質問器搭載救急箱を利用する家族それぞれにＲＦ−ＩＤタグ搭載利用者ＩＤカードを持たせ、それぞれに適合する薬を管理するようすることも可能である。
【００２６】
ＲＦ−ＩＤタグ１を金属材料に密着させた場合にＲＦ−ＩＤタグ１が、動作しなくなる問題がある。これは、ＲＦ−ＩＤタグ用質問器９より発信された電磁波が、金属材料表面に渦電流を発生させるための影響である。このため、ＲＦ−ＩＤタグ１が装着される医薬品２の容器に金属材料が採用されていた場合には、ＲＦ−ＩＤタグ用アンテナ１０と金属材料の間にフェライト等の粉末又はフレークを練り込んだプラスチックの複合材料を挟み込み、金属材料の影響を排除するもとする。
【産業上の利用可能性】
【００２７】
本願発明の携帯可能な救急箱は、収容される医薬品等の収容物及びＩＤカードのＩＤ情報を自動認識が可能である。さらに、利用者は、いつでもどこでも、必要に応じて、自動認識結果を通信端末よりネットワークを介して、センターサーバーシステムに送ることが可能である。さらに、センターサーバーシステム上では予め登録されている情報等を比較考量等して、ネットワークを介して、携帯可能な救急箱に収容されている収容物を使用して助言情報を通信端末の表示装置に表示するものである。
本発明は、救急箱にもとづき説明したが、可搬型の収容箱の中に収容している物を有効に活用するべく、いつでもどこでも助言情報が得られる情報提供システムである。本願発明と同一構成で、電気製品修理者等の工具箱やカメラマンのバックで活用が可能であるため、広範囲な業種及び家庭利用での可搬型の収容箱での利用が可能である。
【図面の簡単な説明】
【００２８】
【図１】ＲＦ−ＩＤタグを医薬品に装着した外観図
【図２】ＲＦ−ＩＤタグ用応答機能搭載電子体温計の構成図
【図３】ＲＦ−ＩＤタグ搭載利用者ＩＤカードの外観図
【図４】ＲＦ−ＩＤタグ用質問器搭載救急箱の構成図
【図５】全体システム構成図
【符号の説明】
【００２９】
１……ＲＦ−ＩＤタグ
２……医薬品
３……ＲＦ−ＩＤタグ用応答機能搭載電子体温計
３ａ…ＲＦ−ＩＤタグ用アンテナ
３ｂ…ＲＦ−ＩＤタグ用アンテナ通信制御回路部
３ｃ…内部バス線
３ｄ…制御回路部
３ｅ…電源回路部及び着脱可能な充電地
３ｆ…液晶表示部
３ｇ…液晶表示制御回路
３ｈ…半導体指紋センサー
３ｉ…半導体指紋センサー制御回路
３ｊ…体温センサー
３ｋ…体温センサー制御回路
４……インレイ
５……ＲＦ−ＩＤタグ搭載利用者ＩＤカード
６……サインパネル
７……刻印番号
８……ＲＦ−ＩＤタグ用質問器搭載救急箱
９……ＲＦ−ＩＤタグ用質問器
９ａ…ＲＦ−ＩＤタグ用質問器の回路部
１０…ＲＦ−ＩＤタグ用アンテナ
１１…ＲＦ−ＩＤタグ用アンテナ通信制御回路部
１２…電源回路部
１３…外部接続回路部
１４…充電地
１５…外部接続コネクター
１６…両端に接続コネクターを有するケーブル
１７…通信端末
１８…接続コネクター部
１９…フェライト材料
２０…ネットワーク
２１…薬局が運営するサーバーシステム
２２…薬局システム
２３…医薬品履歴データ部
２４…処置データ部
２５…利用者データ部
【図１】
2006259939.tif 000003
【図２】
2006259939.tif 000004
【図３】
2006259939.tif 000005
【図４】
2006259939.tif 000006
【図５】
2006259939.tif 000007